(57)【要約】【課題】  異常の状態が続いた時間帯で実施されなかったスケジュール対象があれば、オペレータの認知のもとでスケジュールを再開することを可能にするスケジュール監視制御システムを提供する。【解決手段】  ローカル監視装置４は、装置自体の状態が正常であるとき、所定の間隔で時刻情報をメモリ７に記憶させる手段５と、装置自体が異常の状態から正常の状態に復帰したとき、記憶された時刻情報に基づいて、異常の状態が続いた時間帯にスケジュール対象が有るか否かを判断し、スケジュール対象があるとき、ガイダンス表示要求をヒューマンインタフェース装置１に通知する手段６とを備え、ヒューマンインタフェース装置１は、ローカル監視装置４から通知されたガイダンス表示要求に従って、異常の状態が続いた時間帯で実施されなかったスケジュールの実施を促すガイダンスを画面表示する手段２，３を備える。【選択図】  図１
2006079201.tif 000002
【特許請求の範囲】
【請求項１】
ヒューマンインタフェース装置と、前記ヒューマンインタフェース装置を介して、予め設定されたスケジュールに従ってスケジュール対象設備を制御すると共に、その制御状態を監視するローカル監視装置とを備えたスケジュール監視制御システムにおいて、
前記ローカル監視装置は、装置自体の状態が正常であるとき、所定の間隔で時刻情報をメモリに記憶させる手段と、装置自体が異常の状態から正常の状態に復帰したとき、記憶された前記時刻情報に基づいて、異常の状態が続いた時間帯にスケジュール対象が有るか否かを判断し、スケジュール対象があるとき、ガイダンス表示要求を前記ヒューマンインタフェース装置に通知する手段とを備え、
前記ヒューマンインタフェース装置は、前記ローカル監視装置から通知されたガイダンス表示要求に従って、前記異常の状態が続いた時間帯で実施されなかったスケジュールの実施を促すガイダンスを画面表示する手段を備えた、ことを特徴とするスケジュール監視制御システム。
【請求項２】
前記ローカル監視装置は、異常の状態が続いた時間帯にスケジュール対象があるとき、実施されなかったスケジュールを自動的に実施する手段を備えた、ことを特徴とする請求項１記載のスケジュール監視制御システム。
【発明の詳細な説明】
【技術分野】
【０００１】
本発明は、予め設定されたスケジュールに従って運転されるスケジュール対象設備を制御すると共に、その制御状態を監視するスケジュール監視制御システムに関する。
【背景技術】
【０００２】
この種のスケジュール監視制御システムとして、計算機の給電停止及び再開を自動的に行う電源装置が開示されている（例えば、下記の特許文献１参照）。この電源装置は、計算機より入力されるコマンド／パラメータに基づいて、計算機に対して自動的に給電停止／給電再開を実施するというスケジュール運転制御を行うマイクロプロセッサと、スケジュール運転が正常に行われているか否かを監視するスケジュール運転監視回路と、このスケジュール運転監視回路の監視結果に基づいて、スケジュール運転に異常が発生した場合、スケジュール運転を強制的に実行することで自動復旧を行うマイクロプロセッサ制御部とを備えている。
【０００３】
これによって、スケジュール運転中に異常が発生したとき、自動復旧によりスケジュール運転が実行されるので、計算機に対して影響を与えることなく、スケジュール運転時の不具合が解消されるというものである。
【特許文献１】特開２０００−２５０６６４号公報
【発明の開示】
【発明が解決しようとする課題】
【０００４】
ビル施設やプラントを監視制御する一般的なシステムは、ヒューマンインタフェース装置と、このヒューマンインタフェース装置を介して、スケジュール対象設備を制御すると共に、その制御状態を監視するローカル監視装置とを備えており、このローカル監視装置に上述した自動復旧機能を適用すれば、異常の状態が続いた時間帯で実施されなかったスケジュール対象があったとしても、予め登録されたスケジュールの全てを実行することができる。
【０００５】
しかしながら、上記の電源装置はオペレータに認識させるための報知手段を持っていないため、この技術をそのまま適用すると、オペレータの認識のもとで実行するか否かの選択を要するスケジュールであっても、これらが全て実行されて電力を無駄に消費してしまうという問題があった。
【０００６】
本発明は上記の問題点を解決するためになされたもので、その目的は監視制御対象を予め登録されたスケジュールに従って監視制御するに当たり、異常の状態が続いた時間帯で実施されなかったスケジュール対象があれば、オペレータの認知のもとでスケジュールを再開することを可能にするスケジュール監視制御システムを提供することにある。
【課題を解決するための手段】
【０００７】
本発明は、ヒューマンインタフェース装置と、ヒューマンインタフェース装置を介して、予め設定されたスケジュールに従ってスケジュール対象設備を制御すると共に、その制御状態を監視するローカル監視装置とを備えたスケジュール監視制御システムにおいて、ローカル監視装置は、装置自体の状態が正常であるとき、所定の間隔で時刻情報をメモリに記憶させる手段と、装置自体が異常の状態から正常の状態に復帰したとき、記憶された時刻情報に基づいて、異常の状態が続いた時間帯にスケジュール対象が有るか否かを判断し、スケジュール対象があるとき、ガイダンス表示要求をヒューマンインタフェース装置に通知する手段とを備え、ヒューマンインタフェース装置は、ローカル監視装置から通知されたガイダンス表示要求に従って、異常の状態が続いた時間帯で実施されなかったスケジュールの実施を促すガイダンスを画面表示する手段を備えたことを特徴とする。
【発明の効果】
【０００８】
本発明は上記のように構成したことにより、監視制御対象を予め登録されたスケジュールに従って監視制御するに当たり、異常の状態が続いた時間帯で実施されなかったスケジュール対象があれば、オペレータの認知のもとでスケジュールを再開することを可能にするスケジュール監視制御システムが提供される。
【発明を実施するための最良の形態】
【０００９】
〔第１の実施の形態〕
図１は本発明に係るスケジュール監視制御システムの第１の実施の形態の構成を示すブロック図である。同図において、スケジュール監視制御システム１１は、それぞれ伝送路８に接続されたヒューマンインタフェイス装置１とローカル監視装置４とを備え、スケジュール対象設備９が信号伝送路１０を介してローカル監視装置４に接続されている。
【００１０】
ヒューマンインタフェイス装置１は、キーボード、マウス、ディスプレイ、プリンタ等でなり、その主要な機能に着目すると、互いに異なる表示領域を用いるスケジュール制御設定手段２及びガイダンス表示手段３とを備えている。このうち、スケジュール制御設定手段２はスケジュール対象設備９のスケジュールを表示画面を用いて設定し、設定された情報をローカル監視装置４に転送し、さらに、ローカル監視装置４からのガイダンス表示要求を受けてガイダンス表示手段３に対してその表示指令を与えるものであり、ガイダンス表示手段３は表示指令に従ってスケジュールの実施を促すガイダンスを画面表示するものである。
【００１１】
ローカル監視装置４はコンピュータでなり、その主要な機能に着目すると、正常時間保存手段５と、スケジュール制御手段６と、正常時間保存メモリ７とを備えている。正常時間保存手段５はローカル監視装置４の状態が正常であるとき、所定の間隔で時刻情報を正常時間保存メモリ７に記憶させるもので、スケジュール制御手段６はスケジュール制御設定手段２で設定されたスケジュール情報を保存し、この情報に従って監視制御対象の監視、制御を実行すると共に、ローカル監視装置４が異常の状態から正常の状態に復帰したとき、正常時間保存メモリ７に記憶された時刻情報に基づいて、異常の状態が続いた時間帯にスケジュール対象が有るか否かを判断し、スケジュール対象があるとき、ガイダンス表示要求をヒューマンインタフェイス装置１に通知するものである。
【００１２】
上記のように構成された第１の実施の形態の動作について図２及び図３をも参照して以下に説明する。スケジュール制御設定手段２によって監視制御対象の運転、停止のスケジュールが設定されると、その設定情報がスケジュール制御手段６に転送される。スケジュール制御手段６は設定された運転停止のスケジュールを内部に保持し、このスケジュールに従ってスケジュール対象設備９の運転、停止を制御すると共に、その状態を監視する。ローカル監視装置４が正常に動作している間、正常時間保存手段５は現在の時刻情報を、例えば１分毎に正常時間保存メモリ７に記憶させる。ローカル監視装置４の電源が遮断される等の異常時には、スケジュール制御手段６による監視制御対象の運転、停止の制御は中止されると共に、正常時間保存手段５による現在時刻の記憶動作も中止される。その後、ローカル監視装置４が異常の状態から正常の状態に復帰する異常復帰時に、スケジュール制御手段６は正常時間保存メモリ７の時刻情報を参照して異常状態が続いた時間を検出する。さらに、スケジュール制御手段６は異常状態が続いた時間と、内部に保持したスケジュールとを突き合わせて異常状態が続いた時間帯にスケジュール対象があるか否かを判断し、スケジュール対象がある場合には、実施されなかったスケジュールの再開を促すガイダンス表示要求を出力してスケジュール制御設定手段２に通知する。ガイダンス表示要求を受けたスケジュール制御設定手段２はガイダンス表示手段３を用いて、異常の状態が続いた時間帯で実施されなかったスケジュールの実施を促すガイダンスを画面表示させる。ガイダンスが画面表示されたとき、オペレータはスケジュールの実施を再開することが必要である場合に、スケジュール制御設定手段２の図示省略の再開ボタンを押してスケジュール制御を再開する。
【００１３】
図２はこれらの動作のうち、スケジュールの再開を促すガイダンス表示に関連するヒューマンインタフェイス装置１及びローカル監視装置４の処理手順の一例を示すフローチャートである。ここで、ステップ１０１にて、正常時間保存手段５によってローカル監視装置４が正常に動作している現在時刻を正常時間保存メモリ７に保存し、ステップ１０２でローカル監視装置４の異常を検知する。その後、ステップ２０３でローカル監視装置４が異常復帰すると、スケジュール制御手段６は正常時間保存メモリ７の保存データを参照して、異常状態が続いた時間を検出する。次に、ステップ１０４にて異常状態が続いた時間帯にスケジュール対象が有るか否かを判定し、有る場合にはステップ１０６以下の処理を実行し、無い場合にはステップ１０５にてガイダンス表示要求を行わずに終了処理を実行する。ステップ１０６においては、スケジュール制御手段６がスケジュール制御設定手段２に対して、実施されなかったスケジュールの再開を促すガイダンス表示要求を通知する。続いて、ステップ１０７ではその通知を受けたスケジュール制御設定手段２がガイダンス表示手段３を用いて、スケジュール再開を促すガイダンスを表示する。
【００１４】
図３はローカル監視装置４が異常である時間帯に実施するスケジュールが有るか否かに応じて異常復帰時の状態を示すタイムチャートである。同図において、ローカル監視装置４が異常である時間帯に実施すべきスケジュールがあれば、異常状態から正常に復帰した異常復帰時にローカル監視装置４がガイダンス表示要求を出力し、これとは異なる時間帯にローカル監視装置４が異常となり、その時間帯に実施すべきスケジュールが無かったとすれば異常復帰時にガイダンス表示要求は行わないことになる。
【００１５】
かくして、第１の実施の形態によれば、異常の状態が続いた時間帯で実施されなかったスケジュール対象があれば、オペレータの認知のもとでスケジュールを再開することが可能になるという効果が得られる。
【００１６】
〔第２の実施の形態〕
上述した第１の実施の形態においては、異常である時間帯に実施すべきスケジュールがあれば、異常復帰時にローカル監視装置４がガイダンス表示要求を出力してスケジュールの再開を促し、この段階でオペレータが再開ボタンを押し操作する構成であった。これに対して、スケジュール制御設定手段２によってスケジュールの自動再開を設定し、再開ボタンを逐一押し操作しなくとも自動的にスケジュールを再開させるようにし、自動的な再開が不必要な場合にのみオペレータがスケジュール停止の操作をするように構成すれば、スケジュール再開の操作忘れを防止することができる。
【００１７】
図４はこの考えに従ったスケジュール監視制御システムの第２の実施の形態に対応するヒューマンインタフェイス装置１及びローカル監視装置４の処理手順の一例を示すフローチャートである。そこで、このフローチャートによって第２の実施の形態の動作を説明することとする。図中、ステップ２０１〜２０７の処理は図２に示したステップ１０１〜１０７の処理と同一であるのでその説明を省略する。ここでは、さらに、ステップ２０８において、スケジュールを自動的に再開する設定がなされているか否かを判定する。ここで、自動的に再開する設定がなされていない場合にはステップ２０９にてスケジュールの自動再開をしないで終了処理を実行する。自動的に再開する設定がなされていた場合にはステップ２１０でスケジュール制御が実施されていないスケジュールに対して、スケジュールの再開を実施する。そこで、ステップ２１１にてスケジュール対象設備９の状態が変更される。  かくして、第２の実施の形態によれば、第１の実施の形態と同様な効果が得られるほか、スケジュールの入れ忘れを防止することができるという効果も得られる。
【図面の簡単な説明】
【００１８】
【図１】本発明に係るスケジュール監視制御システムの第１の実施の形態の構成を示すブロック図。
【図２】第１の実施の形態の動作を説明するために、主要な構成要素の処理手順の一例を示すフローチャート。
【図３】第１の実施の形態の動作を説明するために、主要な構成が異常である時間帯に実施するスケジュールの有無に応じた異常復帰状態を示すタイムチャート。
【図４】本発明に係るスケジュール監視制御システムの第２の実施の形態の動作を説明するために、主要な構成要素の処理手順の一例を示すフローチャート。
【符号の説明】
【００１９】
１  ヒューマンインタフェイス装置
２  スケジュール制御設定手段
３  ガイダンス表示手段
４  ローカル監視装置
５  正常時間保存手段
６  スケジュール制御手段
７  正常時間保存メモリ
８  伝送路
９  スケジュール対象設備
１０  信号伝送路
１１  スケジュール監視制御システム
【図１】
2006079201.tif 000003
【図２】
2006079201.tif 000004
【図３】
2006079201.tif 000005
【図４】
2006079201.tif 000006